(57)【特許請求の範囲】
【請求項１】
利用者の活動状態を測定し、活動状態の履歴を記憶する活動検出手段と、
活動状態の履歴から当該活動状態の運動の質および運動の量を各々導出し、運動の質および運動の量に基づいて、予め設定された複数の活動パターンからいずれかの活動パターンを特定する活動パターン特定手段と、
少なくとも活動パターン毎に予め対応付けられた運動内容を提示する運動提示手段と
を備え、
前記運動の質は、活動強度に当該活動強度での活動時間を乗じたエクササイズ量であり、前記運動の量は、利用者の活動時間である
ことを特徴とする活動管理システム。
【請求項２】
前記運動の質は、所定値以上の活動強度に当該活動強度での活動時間を乗じたエクササイズ量であることを特徴とする請求項１記載の活動管理システム。
【請求項３】
前記運動提示手段は、利用者の活動パターンと肥満度との組み合わせ毎に予め対応付けられた運動内容を提示することを特徴とする請求項１または２記載の活動管理システム。
【発明の詳細な説明】
【技術分野】
【０００１】
本発明は、活動管理システムに関するものである。
【背景技術】
【０００２】
従来、利用者が自身の活動量を知ることができるものとして、活動量計を利用者の身体に装着し、測定した活動強度から活動量を求めてリアルタイムに表示したり、その履歴を表示することで、利用者に対して活動結果を提示することができるものがある。（例えば、特許文献１参照）。
【特許文献１】特開２００７−８９６９９号公報
【発明の開示】
【発明が解決しようとする課題】
【０００３】
上述の活動量計では、測定した活動強度や活動量をリアルタイムに表示したり、その履歴を表示することはできる。
【０００４】
しかし、利用者は、活動結果を活動強度や活動量の表示で確認できるが、活動結果に基づいて健康を改善するためにはどのような運動をすればよいのかわからなかった。したがって、利用者は、自分でインターネット、文献等を用いて調べることで、健康を改善するための運動を探さなければならず、自分にあった適切な運動を行うことが困難であった。
【０００５】
本発明は上記問題点に鑑みて為されたものであり、その目的とするところは、利用者が活動結果に基づいて、健康を改善するための適切な運動を簡便に行うことができる活動管理システムを提供することにある。
【課題を解決するための手段】
【０００６】
上記目的を達成するために、請求項１の発明は、利用者の活動状態を測定し、活動状態の履歴を記憶する活動検出手段と、活動状態の履歴から当該活動状態の運動の質および運動の量を各々導出し、運動の質および運動の量に基づいて、予め設定された複数の活動パターンからいずれかの活動パターンを特定する活動パターン特定手段と、少なくとも活動パターン毎に予め対応付けられた運動内容を提示する運動提示手段とを備え、前記運動の質は、活動強度に当該活動強度での活動時間を乗じたエクササイズ量であり、前記運動の量は、利用者の活動時間であることを特徴とする。
【０００７】
この発明によれば、運動の質および運動の量に基づいて特定された活動パターンに応じた運動内容を提示されるので、利用者が活動結果に基づいて、健康を改善するための適切な運動を簡便に行うことができる。また、エクササイズ量および活動時間に基づいて適切な活動パターンを特定でき、健康を改善するための適切な運動を提示することができる。
【０００８】
請求項２の発明は、請求項１において、前記運動の質は、所定値以上の活動強度に当該活動強度での活動時間を乗じたエクササイズ量であることを特徴とする。
【０００９】
この発明によれば、生活習慣病予防に必要な所定値以上の活動強度のみをエクササイズ量の導出に用いるので、より適切な活動パターンを特定でき、健康を改善するためのより適切な運動を提示することができる。  
【００１０】
請求項３の発明は、請求項１または２において、前記運動提示手段は、利用者の活動パターンと肥満度との組み合わせ毎に予め対応付けられた運動内容を提示する。
【００１１】
この発明によれば、利用者の活動パターンと肥満度とに応じた運動内容を提示されるので、利用者が活動結果に基づいて、健康を改善するための適切な運動を簡便に行うことができる。
【発明の効果】
【００１２】
以上説明したように、本発明では、運動の質および運動の量に基づいて特定された活動パターンに応じた運動内容を提示されるので、利用者が活動結果に基づいて、健康を改善するための適切な運動を簡便に行うことができるという効果がある。また、エクササイズ量および活動時間に基づいて適切な活動パターンを特定でき、健康を改善するための適切な運動を提示することができる。
【発明を実施するための最良の形態】
【００１３】
以下に本発明の実施の形態を図面に基づいて説明する。
【００１４】
図１は本発明に係る活動管理システムの概略構成を示し、個人の住宅Ａにおいてイーサネット（登録商標）によりＬＡＮ２０１が構築され、当該ＬＡＮ２０１が住宅情報盤３内に収納されたブロードバンドルータ３ａを介してＷＡＮを構成するインターネット２０２に接続されている。一方、活動量計、体組成計、他動運動機器を用いた各種の管理プログラムを提供する事業者Ｂには、利用者が自宅で所望の管理プログラムを実行できるようにする後述の活動管理サービスを提供するためのセンターサーバ１０１と、運動プログラムの運動内容を示す動画を配信するための映像配信サーバ１０２が設置されている。ここにおいて、事業者Ｂ側のセンターサーバ１０１、映像配信サーバ１０２と、インターネット２０２と、事業者Ｂが提供する活動管理サービスを利用する住宅Ａ内のＬＡＮ２０１と、利用者が携行する活動量計１と、住宅Ａ内に設置された表示装置２、他動運動機器６、体組成計７、ブロードバンドルータ３ａなどで活動管理システムが構成される。
【００１５】
活動量計１は、図１に示す扁平な装置本体１０に図２に示す回路構成要素を内蔵したもので、装置本体１０を測定対象者のベルト等に装着して使用される。ここで、装置本体１０に内蔵される回路構成要素としては、例えば３軸の加速度センサ１１と、この加速度センサ１１の出力信号をＡ／Ｄ変換して得た検出出力をもとに、当該活動量計１を装着した利用者の活動状態を演算する演算処理部１２と、時刻データを演算処理部１２に与える計時部１３と、入力操作部１４と、例えばフラッシュメモリなどの不揮発性メモリからなり、演算処理部１２の演算結果や個人の属性データなどを記憶するための記憶部１５と、例えば液晶表示器からなる表示部１６と、ワイヤレス中継器５との間で赤外線通信を行う赤外線通信部１７と、電池ＢＴを電源として各回路要素の動作に必要な所定の電圧を得る定電圧回路１８とを備えている。
【００１６】
入力操作部１４は、当該活動量計１の動作モードを計測モード、データ設定モード、又は、出力表示処理モード等に切り替えるモード切替操作や、表示部１６に表示される表示画面でのカーソル操作や確認操作、或いは、データ設定モードにおいて活動量の算出に用いる個人の属性データ（例えば年齢、性別、身長、体重、目的、健康状態（既往症歴）、地域）を入力するデータ入力操作に用いられる。
【００１７】
活動量計１の演算処理部１２は、活動量計１に予め組み込まれたプログラムに基づいて、例えば利用者の活動の活動強度、活動量、活動時間や利用者が歩いた歩数や消費カロリーなどの活動状態を算出するためのデータ処理を行うものであり、入力操作部１４を用いてデータ設定モードに切り替えられると、表示部１６の表示を制御してデータ入力画面を表示させ、当該データ入力画面において、上記属性データの入力を利用者に促すためのガイダンスなどを表示させ、入力操作部１４を用いて属性データが入力されると、入力データを記憶部１５に書き込み、以後の演算処理では記憶部１５から読み込んだ属性データを活動量の演算に使用するようになっている。
【００１８】
また演算処理部１２の動作モードが、入力操作部１４を用いて計測モードに切り替えられると、演算処理部１２は、加速度センサ１１から入力される加速度の検出出力に基づいて、利用者の活動強度（Mets）、活動量、活動時間や歩数や消費カロリーの算出処理を行うとともに、算出結果を記憶部１５に書き込む処理を行い、且つ、算出結果を表示部１６にリアルタイムで表示するようになっている。
【００１９】
さらに演算処理部１２の動作モードが、入力操作部１４を用いて出力表示処理モードに切り替えられると、演算処理部１２は、記憶部１５に記憶されているデータや演算処理結果に基づいて、個人の属性データや、活動強度（Mets）、活動量、活動時間や、歩数、消費カロリーの測定結果などを表示部１６に表示させる処理を行う。
【００２０】
表示装置２は、ＬＡＮケーブル２０３を介して、住宅情報盤３内に収納されたブロードバンドルータ３ａに接続されており、インターネット２０２およびＬＡＮ２０１を介して映像配信サーバ１０２から配信された映像を画面上に表示するとともに、音声を内蔵スピーカ（図示せず）から出力する。また表示装置２は、リモコン装置２ａから送信される赤外線のような光信号からなるワイヤレス信号を受信するワイヤレス受信部（図示せず）を備え、操作に応じてリモコン装置２ａから送信されたワイヤレス信号をワイヤレス受信部が受信し、当該ワイヤレス信号に応じて表示するチャンネルや音量の切り替えを行ったり、ネットワークを介してセンターサーバ１０１、映像配信サーバ１０２にアクセスし、センターサーバ１０１に蓄積されたＷｅｂページや、映像配信サーバ１０２に蓄積された映像を送信させることができる。
【００２１】
住宅情報盤３は、主幹開閉器および分岐開閉器を内蔵して、宅内の分岐回路に電力を供給するとともに、内蔵するブロードバンドルータ３ａにＬＡＮケーブル２０３を介して表示装置２およびネットアダプタ４が接続されている。
【００２２】
ネットアダプタ４は、ＬＡＮケーブル２０３を介してブロードバンドルータ３ａに接続されるとともに、小電力無線を利用してワイヤレス中継器５との間で無線電波によって通信を行うものである。またワイヤレス中継器５は、ネットアダプタ４との間で無線電波を用いた通信を行うとともに、活動量計１や後述する他動運動機器６および体組成計７との間で赤外線を用いた通信を行うものである。すなわち、ワイヤレス中継器５の通信可能エリア内に存在する活動量計１や他動運動機器６や体組成計７から、送信元および送信先のＩＤを含む赤外線信号が送信され、この赤外線信号をワイヤレス中継器５が受信すると、ワイヤレス中継器５は受信した赤外線信号の通信プロトコルを変換して無線電波により送信する。そして、ネットアダプタ４が、ワイヤレス中継器５から送信された無線電波を受信すると、無線電波により送信された信号のプロトコル変換を行い、送信先のＩＤが示すネットワーク機器（表示装置２或いはセンターサーバ１０１）へ信号を送信する。
【００２３】
他動運動機器６は利用者に対して他動的な運動を行わせるものであり、本実施形態では、例えば、利用者が跨いで着座する鞍状の座席部を揺動運動させることによって、乗馬運動を模した運動負荷を与える乗馬型の運動機器を用いている。図３は他動運動機器６の概略的なブロック図を示し、マイクロコンピュータよりなる制御部６１と、鞍状の座席部６２を揺動運動させる駆動部６３と、外部との間で赤外線を用いた通信を行う赤外線通信部６４と、操作部６５と、座席部６２を様々なパターンで揺動させるためのプログラムなどを記憶した記憶部６６とを備えている。
【００２４】
体組成計７は、図１に示すように扁平な直方体状の装置本体７０を有し、装置本体７０の上面には、装置本体７０に乗せられた左右の足の足裏がそれぞれ当接する部位に電極部７１ａ，７１ａが配置されるとともに、装置本体７０の左右方向における中央部には測定結果などを表示するための液晶ディスプレイからなる表示部７２が配置されている。
【００２５】
装置本体７０に内蔵される回路構成要素としては、図４に示すように装置本体７０に乗った人の体重を測定する重量センサ７３と、左右の電極部７１ａ，７１ａ間に微弱な電流を流して、人体の電気抵抗（生体インピーダンス）を測定する生体インピーダンス測定部７１と、体組成計７の動作モードを計測モードや設定モード等に切り替える操作や、設定モードにおいて個人の属性データ（例えば年齢、性別、身長など）を入力する操作を行うための入力操作部７４と、生体インピーダンス測定部７１の測定結果をもとに測定対象者の体脂肪率を演算により求めるとともに、表示部７２の表示を制御して重量センサ７３の検出結果や体脂肪率の演算結果を表示部７２の画面に表示させる演算処理部７５と、例えばフラッシュメモリなどの不揮発性メモリからなり、演算処理部７５の演算結果や個人の属性データなどを記憶するための記憶部７６と、ワイヤレス中継器５との間で赤外線通信を行う赤外線通信部７７と、電池を電源として各回路要素の動作に必要な所定の電圧を得る電池電源部７８とを備えている。
【００２６】
センターサーバ１０１は、図５に示すように中央制御部１０１ａと、ＬＡＮ２０１およびインターネット２０２を介して受け取った各種データや、中央制御部１０１ａでの演算結果等を格納する記憶部１０１ｂとを備えており、中央制御部１０１ａは、各種演算機能の他に、画像データとしてＷｅｂコンテンツ（Ｗｅｂページ）を作成し、表示装置２からの要求に応じてＷｅｂページを端末装置に提供（配信）する機能（Ｗｅｂサーバ機能）も有している。
【００２７】
本システムでは、表示装置２が、ＬＡＮケーブル２０３を介してブロードバンドルータ３ａに接続されており、インターネット２０２およびＬＡＮ２０１を介してセンターサーバ１０１から送信されたＷｅｂページを表示したり、映像配信サーバ１０２から配信された映像を画面上に表示することができる。また活動量計１、他動運動機器６、体組成計７はそれぞれワイヤレス中継器５およびネットアダプタ４を介してＬＡＮ２０１に接続されており、ＬＡＮ２０１およびインターネット２０２を介してセンターサーバ１０１に接続されるので、センターサーバ１０１との間でデータの送受信が行えるようになっている。尚、活動量計１、表示装置２、ネットアダプタ４、ワイヤレス中継器５、他動運動機器６および体組成計７にはそれぞれ個別のローカルＩＰアドレスが割り当てられており、ブロードバンドルータ３ａがグローバルＩＰアドレスとローカルＩＰアドレスとの変換を行うようになっている。
【００２８】
ここで、本システムにより事業者Ｂが提供する活動管理サービスを住宅Ａ内の利用者が利用する場合について以下に説明する。
【００２９】
まず、利用者によってワイヤレス中継器５へ向けられた活動量計１は、演算処理部１２の動作モードが、入力操作部１４を用いてデータ送信モードに切り替えられると、演算処理部１２は、記憶部１５に記憶されている活動強度、歩数、活動時間の履歴データ、個人の属性データをローカルＩＰアドレスとともに赤外線通信部１７で赤外線信号に変換してワイヤレス中継器５へ送信し、ワイヤレス中継器５からＬＡＮ２０１およびインターネット２０２を介してセンターサーバ１０１へ送信される。
【００３０】
センターサーバ１０１では、活動量計１から受け取った各データを記憶部１０１ｂに格納し、中央制御部１０１ａが、記憶部１０１ｂに格納されている活動強度の履歴に基づいて、エクササイズ量（活動量）を算出する。このエクササイズ量の算出は、活動強度の履歴を活動強度基準値と比較し、活動強度が活動強度基準値を上回った場合に、［活動強度×活動時間］で表されるエクササイズ量を積算し、記憶部１０１ｂに格納する。上記活動強度基準値は、通常、生活習慣病予防に必要な３ＭＥＴｓに設定されるが、記憶部１０１ｂに格納された個人の属性データに基づいて当該利用者に適合する活動強度基準値を採用してもよい。
【００３１】
センターサーバ１０１の中央制御部１０１ａは、記憶部１０１ｂに格納されたエクササイズ量、歩数等を反映させたＷｅｂページを生成する機能を有するとともに、活動管理サービスを提供するためのＷｅｂページが予め用意されている。
【００３２】
そして、住宅Ａ内の利用者が、リモコン装置２ａを用いてセンターサーバ１０１にアクセスすると、この操作により表示装置２とセンターサーバ１０１との間でＬＡＮ２０１およびインターネット２０２を介して通信が行われ、利用者に対して提供可能な活動管理サービスを紹介するＷｅｂページが表示装置２の画面上に表示される。この時、利用者が、表示装置２に表示された活動管理サービスの一覧から所望のサービスを選択決定し、活動パターンファイルを配信させる操作をリモコン装置２ａを用いて行うと、表示装置２からＬＡＮ２０１およびインターネット２０２を介してセンターサーバ１０１へ利用者の活動パターンファイルの配信要求が送信される。
【００３３】
この配信要求を受け取ったセンターサーバ１０１では、中央制御部１０１ａが、記憶部１０１ｂに格納されているエクササイズ量および歩数の積算結果に基づいて、Ｗｅｂブラウザ上で表示可能な活動パターンファイルを生成し、この活動パターンファイルを要求元の表示装置２へ配信する。
【００３４】
表示装置２では、センターサーバ１０１から受け取った活動パターンファイルを表示する。図６は、表示装置２で活動パターンファイルを表示したＷｅｂページを示し、１ヶ月間の歩数積算値の１日当たりの平均値を横軸［運動の量］、１ヶ月間のエクササイズ量の積算値（活動強度が３（Mets）を上回った場合のエクササイズ量の積算値）の１日当たりの平均値を縦軸［運動の質］に表したグラフＧ１が形成され、グラフＧ１内には、今月の活動結果Ｐ１と、先月の活動結果Ｐ２とがプロットされている。
【００３５】
さらに、グラフＧ１内は複数の活動パターンに対応して複数の領域に予め区切られており、「歩数、エクササイズ量ともに少ない活動パターンＡ」、「歩数は中程度であり、エクササイズ量が少ない活動パターンＢ」、「歩数は少なく、エクササイズ量は中程度である活動パターンＣ」、「歩数、エクササイズ量ともに中程度である活動パターンＤ」、「歩数、エクササイズ量ともに多い活動パターンＥ」に分けられている。
【００３６】
グラフＧ１上にプロットされた利用者の活動結果をいずれかの活動パターンに当てはめることで、利用者の身体的特徴が分かり、活動パターンＡは「活動不足グループであり、脚力、継続力ともに非常に低い」、活動パターンＢは「まったり歩行グループであり、脚力は低く、継続力は中程度」、活動パターンＣは「時々活発グループであり、脚力は中程度だが、継続力は低い」、活動パターンＤは「もう一歩グループであり、脚力、継続力ともに中程度」、活動パターンＥは「活動ＯＫグループであり、脚力、継続力ともに高い」と分類できる。なお、図６において、今月の活動結果Ｐ１は活動パターンＤに属し、先月の活動結果Ｐ２は活動パターンＡに属している。
【００３７】
また、利用者がリモコン装置２ａを用いて当該Ｗｅｂページ上の表示期間変更ボタンＪ１を押下することで、図示しないリストボックスがＷｅｂページ上に表示され、このリストボックスから所望の表示年月を選択する操作をリモコン装置２ａを用いて行うと、表示装置２からＬＡＮ２０１およびインターネット２０２を介してセンターサーバ１０１へ表示年月変更要求が送信される。この表示年月変更要求を受け取ったセンターサーバ１０１では、中央制御部１０１ａが、要求に適合した年月で活動パターンファイルを生成し、この活動パターンファイルを要求元の表示装置２へ配信することで、例えば１年前の活動結果を見ることも可能となる。
【００３８】
また、表示装置２に表示する活動パターンファイルとして、図７に示すように、１ヶ月間の活動時間（活動強度が３（Mets）を上回った時間）の１日当たりの平均値を横軸［運動の量］、１ヶ月間のエクササイズ量の積算値（活動強度が３（Mets）を上回った場合のエクササイズ量の積算値）の１日当たりの平均値を縦軸［運動の質］に表したグラフＧ２を生成してもよい。この場合も、グラフＧ２内は複数の活動パターンに対応して複数の領域に予め区切られており、「活動時間、エクササイズ量ともに少ない活動パターンＡ」、「活動時間は中程度であり、エクササイズ量が少ない活動パターンＢ」、「活動時間は少なく、エクササイズ量は中程度である活動パターンＣ」、「活動時間、エクササイズ量ともに中程度である活動パターンＤ」、「活動時間、エクササイズ量ともに多い活動パターンＥ」に分けられており、上記グラフＧ１と同様に、グラフＧ２上にプロットされた利用者の活動結果（今月の活動結果Ｐ１、先月の活動結果Ｐ２）をいずれかの活動パターンに当てはめることで、利用者の身体的特徴が分かる。
【００３９】
次に、利用者が、運動メニューファイルを配信させる操作をリモコン装置２ａを用いて行うと、表示装置２からＬＡＮ２０１およびインターネット２０２を介してセンターサーバ１０１へ、利用者の運動メニューファイルの配信要求が送信される。
【００４０】
運動メニューファイルの配信要求を受け取ったセンターサーバ１０１では、中央制御部１０１ａが、運動メニューファイルを生成し、この運動メニューファイルを要求元の表示装置２へ配信する。
【００４１】
表示装置２では、センターサーバ１０１から受け取った運動メニューファイルを表示する。図８は、表示装置２で運動メニューファイルを表示したＷｅｂページを示し、横軸Ｘに活動パターンＡ〜Ｄ、縦軸Ｙに肥満度（肥満、隠れ肥満、標準、やせ）を表した５列×４行のマトリクスＭ（Ｘ，Ｙ）が形成されている。そして、当該Ｗｅｂページでは、活動パターンＡ〜Ｄに各々対応して適切な運動の方向性が記載されるとともに、肥満度（肥満、隠れ肥満、標準、やせ）にも各々対応して適切な運動の方向性が記載されている。
【００４２】
次に利用者は、自己の肥満度（これは、自己の体脂肪率とＢＭＩ値とから利用者が判断する）と、図６の活動パターンファイルで示された自己の活動パターンとに基づいて、マトリクスＭ（Ｘ，Ｙ）中の該当する領域を選択する操作をリモコン装置２ａを用いて行うと、表示装置２からＬＡＮ２０１およびインターネット２０２を介してセンターサーバ１０１へ、マトリクスＭ（Ｘ，Ｙ）に対応する運動内容ファイルの配信要求が送信される。
【００４３】
運動内容ファイルの配信要求を受け取ったセンターサーバ１０１では、中央制御部１０１ａが、マトリクスＭ（Ｘ，Ｙ）に対応する運動内容ファイルを生成し、この運動内容ファイルを要求元の表示装置２へ配信する。
【００４４】
または、センターサーバ１０１の中央制御部１０１ａが、体組成計７から受け取って記憶部１０１ｂに格納している利用者の属性データ（身長、体重）に基づいてＢＭＩ値を算出した後、体組成計７から受け取って記憶部１０１ｂに格納している体脂肪率と上記算出したＢＭＩ値とに基づいて肥満度を判断してもよい。この場合、中央制御部１０１ａは、生成した運動メニューファイルにおけるマトリクスＭ（Ｘ，Ｙ）中の該当する領域を自動で選択して、対応する運動内容ファイルを要求元の表示装置２へ送信する。
【００４５】
表示装置２では、センターサーバ１０１から受け取った運動内容ファイルを表示する。図９は、表示装置２で運動内容ファイルを表示したＷｅｂページを示し、利用者の活動パターン、肥満度に応じて必要と思われる運動内容Ｔが表示されている。
【００４６】
ここで、映像配信サーバ１０２には、複数種類の運動プログラムについて、各々の運動内容を示す動画が蓄積されており、図９のＷｅｂページのボタンＪ２より、映像配信サーバ１０２内の動画ファイルのうち運動内容Ｔに対応する動画ファイルにリンクが張られている。
【００４７】
利用者は、図９のＷｅｂページのボタンＪ２を押下する操作をリモコン装置２ａを用いて行うと、表示装置２からＬＡＮ２０１およびインターネット２０２を介してセンターサーバ１０１へ所望の動画ファイルの配信要求が送信され、この配信要求を受け取ったセンターサーバ１０１は、映像配信サーバ１０２から要求元の表示装置２へ、指定された運動プログラムの動画ファイルを配信させる。
【００４８】
表示装置２では、映像配信サーバ１０２からインターネット２０２及びＬＡＮ２０１を介して配信された動画ファイルを図示しないメモリに記憶しており、動画ファイルのダウンロードが完了すると、動画の再生準備が完了したことを示すメッセージを画面上に表示する。そして、再生準備の完了を示すメッセージを見た使用者が、リモコン装置２ａを用いて動画の再生を開始する操作を行うと、リモコン装置２ａから送信された再生開始要求を表示装置２が受信し、動画の再生が開始される。
【００４９】
利用者は、表示装置２に再生される運動を見ながら同様の運動を行ったり、運動プログラムの確認を行うことができ、自己の活動パターン、肥満度に応じて必要な運動を簡便に行うことができる。
【００５０】
例えば、図８のＷｅｂページのマトリクスＭ（活動パターンＢ，隠れ肥満）を選択した場合、活動パターンＢの人は、歩数は中程度だが、活動強度が弱く、これは地面を蹴る脚力がないため、サッサと歩けないことが原因と考えられる。また、隠れ肥満の人は、まず脚力をつけて運動強度の高い運動をできるようになってから、有酸素運動を行う運動プログラムを提供するようにする。したがって、図９のＷｅｂページの運動内容Ｔには、脚力の強化を行う運動と、有酸素運動（例えば、他動運動機器６を用いた運動）とが示され、配信される動画ファイルも、脚力の強化を行う運動と有酸素運動に関する動画となる。
【００５１】
また、図８のＷｅｂページのマトリクスＭ（活動パターンＤ，肥満）を選択した場合、活動パターンＤの人は、脚力、継続力ともに中程度だが、肥満の人には有酸素運動を行う運動プログラムを提供するようにする。したがって、図９のＷｅｂページの運動内容Ｔには、有酸素運動（例えば、他動運動機器６を用いた運動）が示され、配信される動画ファイルも、有酸素運動に関する動画となる。
【００５２】
以上説明した本活動管理システムでは、利用者の活動パターンを特定するために用いる活動状態として活動強度と歩数、または活動強度と活動時間を用いる。そして、活動量計１が、利用者の活動強度と歩数または活動強度と活動時間といった活動状態を測定して、これら活動状態の各履歴を記憶する活動検出手段を構成し、センターサーバ１０１が、活動状態の履歴から当該活動状態の運動の質および運動の量を各々導出し、運動の質および運動の量に基づいて、予め設定された複数の活動パターンからいずれかの活動パターンを特定する活動パターン特定手段を構成し、表示装置２が、利用者の活動パターンと肥満度との組み合わせ毎に予め対応付けられた運動内容を提示する運動提示手段を構成している。而して、ＬＡＮ２０１およびインターネット２０２を介して活動量計１に接続されたセンターサーバ１０１が、活動量計１から取得した利用者の活動状態の履歴データに基づいて、利用者の活動パターンを特定し、センターサーバ１０１および映像配信サーバ１０２に接続された表示装置２では、利用者の活動パターンと肥満度とに応じて必要と考えられる運動が動画で再生される。したがって、利用者が活動結果に基づいて、健康を改善するための適切な運動を簡便に行うことができる。
【００５３】
このように、本活動管理システムでは、利用者の活動パターンを特定するために用いる活動状態として活動強度と歩数、または活動強度と活動時間を用いており、活動強度の履歴からエクササイズ量を算出することで［運動の質］を導出し、歩数または活動時間を積算することで［運動の量］を導出している。なお、利用者の活動パターンを特定するための活動状態として消費カロリー等を用いてもよく、例えば消費カロリーを積算することで［運動の量］を導出できる。
【００５４】
また、活動量計１が、加速度センサ１１の出力信号をＡ／Ｄ変換して得た検出出力をセンターサーバ１０１へ送信し、センターサーバ１０１が、加速度センサ１１の検出出力から活動状態（活動強度と歩数、または活動強度と活動時間）を測定し、これら活動状態の各履歴を記憶することで、加速度センサ１１およびセンターサーバ１０１で活動検出手段を構成してもよい。
【００５５】
なお本実施形態では、活動量計１および表示装置２の台数が１台の場合を例に説明したが、複数台の活動量計１および表示装置２をＬＡＮ２０１に接続しても良く、センターサーバ１０１が複数台の活動量計１から活動強度および歩数の履歴データを取得し、各活動量計１に対応付けられた表示装置２へ、利用者の活動パターンと肥満度とに応じて必要と考えられる運動の動画ファイルを送信することによって、複数の利用者が活動量計１を用いた活動管理サービスを同時に受けることができる。
【００５６】
また本実施形態では、宅内のＬＡＮ２０１にインターネット２０２を介して接続されるセンターサーバ１０１が活動パターン特定手段を構成しているが、ＬＡＮ２０１を介して接続された制御装置により活動パターン特定手段を構成するようにしても良い。
【図面の簡単な説明】
【００５７】
【図１】本実施形態の活動管理システムの概略構成図である。
【図２】同上に用いる活動量計の概略的なブロック図である。
【図３】同上に用いる他動運動機器の概略的なブロック図である。
【図４】同上に用いる体組成計の概略的なブロック図である。
【図５】同上に用いるセンターサーバの概略的なブロック図である。
【図６】同上の活動パターンファイルを表示したＷｅｂ画面の図である。
【図７】同上の別の活動パターンファイルを表示したＷｅｂ画面の図である。
【図８】同上の運動メニューファイルを表示したＷｅｂ画面の図である。
【図９】同上の運動内容ファイルを表示したＷｅｂ画面の図である。
【符号の説明】
【００５８】
１  活動量計
２  表示装置
３ａ  ブロードバンドルータ
１０１  センターサーバ
２０１  宅内ＬＡＮ
２０２  インターネット
【図１】
0005215625.tif 000002
【図２】
0005215625.tif 000003
【図３】
0005215625.tif 000004
【図４】
0005215625.tif 000005
【図５】
0005215625.tif 000006
【図６】
0005215625.tif 000007
【図７】
0005215625.tif 000008
【図８】
0005215625.tif 000009
【図９】
0005215625.tif 000010